(57)【要約】      （修正有）【課題】削減可能、のみならず二酸化炭素排出量を自身の意識の中にインパクトを与えることを提供する。【解決手段】「二酸化炭素排出量削減測定装置」は行動されたエネルギー消費量による二酸化炭素排出量の項目別に分かれたＣＯ２排出量の数値や、それらの一纏めになった数値が瞬時に表示されて一目で確認できます。且つ、行動計画として行動されたエネルギー消費量のフィードバックによりＣＯ２排出量削減可能な行動パターンを提供し、それに則った行動を実行することによりＣＯ２排出量削減持続可能を有する。【選択図】なし【特許請求の範囲】
【請求項１】
各，住宅、公共施設、企業施設において、
該、電気、ガス、水道、自動車（Ｂタイプ：ガソリン、ディーゼル燃費）の主なエネルギー消費量は、それぞれの測定メーターからカウントされた消費量の数値をコンピューターに送信し二酸化炭素排出量の数値や金額を出す演算処理のプログラムにより、自動的に二酸化炭素排出量の項目別の数値や金額、それらを一纏めにされた数値や金額などが表示される薄型の液晶カラータッチパネルディスプレーで、なお且つ音声スピーカーが内蔵された装置から、メッセージや文字の一覧表示により、一目で二酸化炭素排出量の数値や金額を確認できることに特徴を有する二酸化炭素排出量削減測定装置。
【請求項２】
二酸化炭素排出量削減測定装置によるディスプレー表示の項目別において、
該、ガソリン、ディーゼル、石油、アルミ缶、スチール缶、ペットボトル、ガラス瓶、牛乳パック、食品トレー、ゴミ、その他（薪、石炭、コークス）などの一覧表示で、少人数の住宅から、企業や公共施設の大量エネルギー消費量迄、本数単位から、キログラム、トン、リットル単位までディスプレーに表示されます。それらをタッチパネルディスプレーに、エネルギー消費量を項目別に、人間が指で軽く触れると演算処理のプログラムにより二酸化炭素排出量の数値が自動的に項目別で表示されます。および、それらの数値は電気、ガス、水道、自動車などによる二酸化炭素排出量の数値と演算処理のプログラムにより、自動的に一纏めにされた数値に、加算されることに特徴を有する請求項１記載の二酸化炭素排出量削減測定装置。
【請求項３】
前記ディスプレー表示の項目別による自動車、トラックにおいて、
該、Ａタイプ、自動車、トラックは、ガソリンやディーゼル等を購入する毎に購入量（リットル単位）や、購入金額を二酸化炭素排出量削減測定装置のタッチパネルディスプレーに人間が入力します。それらはコンピューター演算処理のプログラムにより二酸化炭素排出量の数値が自動的にディスプレーに表示されます。およびそれらの数値は、電気、ガス、水道の二酸化炭素排出量の数値と演算処理のプログラムより自動的に、一纏めにされた数値に加算されます。およびＢタイプ、自動車、トラックは、車内の運転席の前方に一目で確認できるディスプレー表示盤で音声スピーカーが内蔵された装置を設置する。その装置はガソリン燃費消費量と同時に、二酸化炭素排出量の数値もコンピューター演算処理のプログラムより自動的に表示されます。およびスピードや発進のフィードバックにより急発進、急加速による（約・・ＣＣの燃料の無駄）などのエコドライブ情報が自動的に音声と文字で表示されます。且つ自動車やトラックの二酸化炭素排出量の数値や金額は演算処理のデーター通信により二酸化炭素排出量削減測定装置へと接続されていることに特徴を有する請求項１乃至２記載の二酸化炭素排出量削減測定装置。
【請求項４】
前記ディスプレー表示において、
該、午前零時を、一日の区切りとして、前日の、午前零時から２４時００分迄のエネルギー消費量による二酸化炭素排出量の数値は、翌日の正午の１２時と、夕方の１８時の２回、地域の曲、および時報と同時に音声と文字にて自動的にディスプレーに表示されて、お知らせします。および電気、ガス、水道などは消費量と同時に、消費料金が項目別に表示されて、いつでも確認することができます。および前述したそれらは、前日の一日分や、一週間、十日間、一ヶ月間、前に遡った分、等々の二酸化炭素排出量の数値や、エネルギー消費量の項目別数値や金額などの一覧表示により、一目で確認できることに特徴を有する請求項１乃至３記載の二酸化炭素排出量削減測定装置。
【請求項５】
外部に総括管理運営する二酸化炭素削減推進機関を設置して、
該、各住宅、企業施設、公共施設等の二酸化炭素排出量の情報や数値もデーターベースを用いて送信されます。および、その時々の状況に合わせて二酸化炭素削減推進機関からコンピューターインターフェースを用いて削減情報やお楽しみポイント（地域によって異なる）等を送受信されます。そこに１ヶ月間を目安として前月の二酸化炭素排出量の１０％削減から始まり定着して行きます。それを一週間毎か１０日毎に目標達成のための可否がコンピューターデーターベースを用いて自動的にディスプレーに表示され、この目標が不可の場合は不可表示燈の点灯と同時に前月の一ヶ月間のエネルギー消費量のフィードバックにより削減可能になると思われる情報がデーターベースを用いて送信され自動的にディスプレー表示の項目別に分けて音声と文字のメッセージでお知らせすることに特徴を有する請求項１乃至４記載の二酸化炭素排出量削減測定装置。
【請求項６】
二酸化炭素排出量削減測定装置によるディスプレー表示の項目別において、
該、二酸化炭素排出量削減測定装置を住宅に設置して電源入力スイッチをＯｎに入れてから、初回のみ、家族構成項目にコンピューターデーターベースを用いて家族構成を入力します。および１ヶ月間毎に家族流動計画も入力します。これにより行動したエネルギー消費量の二酸化炭素排出量の数値は、日本国環境省の目標値、１人１日１ｋｇ二酸化炭素排出量削減目標を演算処理のコンピュータープログラムにより自動的に可否をディスプレーに表示されます。及び目標が不可の場合は不可表示燈の点灯と同時にエネルギー消費量のフィードバックにより削減可能になると思われる情報がコンピューターデーターベースを用いて送信され自動的にディスプレー表示の項目別に分けて音声と文字のメッセージでお知らせすることに特徴を有する請求項１乃至５記載の二酸化炭素排出量削減測定装置。
【請求項７】
二酸化炭素排出量削減測定装置による電源入力スイッチにおいて、
該、二酸化炭素排出量削減測定装置を設置時は通常、常にスイッチＯｎにしています。および生命におよぶ緊急事態（例えば近年では、テロ、Ｈ５型鳥インフルエンザ、地震、津波、火山噴火など）の場合のみ、緊急事態対策機関よりコンピューターインターフェースを用いて自動的に送信され緊急警報と緊急速報を音声と文字のメッセージにより２４時間、その都度お知らせすることに特徴を有する請求項１乃至６記載の二酸化炭素排出量削減測定装置。
【請求項８】
住宅などの二酸化炭素排出量の数値は、日本国環境省による目標値１人１日１ｋｇ二酸化炭素排出量削減目標を１年間に通して目標値の削減持続可能を達成した住宅などには、エコマーク入りで地球を守るデザインのシールを配布して玄関先に付着し（赤十字やＮＨＫのシールの様に）近年、最先端のエコ実践住宅であることを、地域や他者にアピールを示し、二酸化炭素排出量削減の促進を促す目的とすることに、特徴を有する請求項１乃至７記載の二酸化炭素排出量削減測定装置。
【発明の詳細な説明】
【技術分野】
【０００１】  本発明は、行動されたエネルギー消費量による二酸化炭素排出量の項目別数値や、それらを一纏めにされた数値など、及びそれらの中に含まれている電気、ガス、水道などの消費量による消費料金の金額を毎日、いつでも一目で素早く確認することが出来ます。および行動計画としてそれぞれのライフスタイル、ビジネススタイルが異なる様に、行動するエネルギー消費量の削減目標を、行動されたエネルギー消費量のフィードバックにより削減可能と思われる消費量を項目別に分けた、理解しやすい削減可能な行動パターンを提供します。例えば住宅のシャワーで身体を洗っている間、お湯を流しっぱなしにしない。１日１分家族全員が減らすと１ヶ月間約５．４ｋｇのＣＯ２の削減で約３３３円の節約になります。など、および企業や大型施設には省エネルギー改善に必要な技術、設備、人材、資金、等を包括的に提供するＥＳＣＯ事業の提供をします。および、二酸化炭素排出量削減測定装置に、常に関心を傾けて頂く為に、生命に及ぶ緊急事態には２４時間いつでも緊急警報と緊急速報をお知らせします。これ等のことにより、日本国の低炭素社会構築を可能に適応するに関する。
【背景技術】
【０００２】  従来代表的なものでは、項目別に分け、使用量×ＣＯ２排出係数＝ＣＯ２排出量を計算して数値を出すか、および二酸化炭素測定器を使用して排出量の数値を出すか、そのいずれかでした。および
引用文献１：特開２００４−１１０５８０号公報
引用文献２：特開２００５−３３２１０３号公報
等が開示されています。引用文献１は、業務毎の環境負荷量と目標値と比較し各業務の成果を評価するシステムを提供する。引用文献２は、二酸化炭素削減目標値からなる二酸化炭素削減情報の表示システムを提供すると開示されています。しかし双方とも削減情報を提供すると記載されてはいますが、それがどの様な情報の内容であるのか、表し方が、記載されておらず、これでは消費者には理解できませんし二酸化炭素排出量削減には至りません。および目標値からなる二酸化炭素削減情報の数値を仮に出したとしても、電気、ガス、水道のみのＣＯ２排出量の数値では、環境省の目標値と比較することはできません。
【発明が解決しようとする課題】
【０００３】  しかし近年では二酸化炭素排出量の項目も多種多様になり、それを一つ一つ計算し二酸化炭素排出量の数値を出して対応していくには時間を有する。および、行動されたエネルギー消費量などの消費料金及びＣＯ２排出量の数値を項目別に分けたものや一纏めに成ったものをディスプレーに表示され瞬時にいつでも一目で確認出来ることにより、より身近にＣＯ２排出量削減の意識を促します。および、エネルギー消費量のフィードバックにより削減可能な行動パターンを提供することにより、より一層、自ら積極的に削減可能な行動を促します。これ等による斬新な物が要望されます。本発明は、そのような削減可能、のみならず二酸化炭素排出量を自身の意識の中にインパクトを与えることを提供し解決すべき課題としている。
【課題を解決するための手段】
【０００４】  二酸化炭素排出量削減測定装置を設置することにおいて、
該、行動されたエネルギー消費量による、二酸化炭素排出量の数値や、同時に発生する消費料金がディスプレーに表示され、いつでも簡単に確認することが出来ます。及び、行動されたエネルギー消費量によるフィードバックにより削減可能と思われる行動パターンを提供することを特徴とする二酸化炭素排出量削減測定装置。
【発明の効果】
【０００５】  上述したように、本発明の二酸化炭素排出量削減測定装置を、各家庭、公共施設、企業施設、において設置することにより二酸化炭素排出量削減目標を定め、より正確に継続的に二酸化炭素排出量削減可能に適し延いては日本国の低炭素社会構築実現に国民の意識改革が一つの目的の和と成り全世界へ向けて合言葉「この地球（ほし）を守ろう。」のメッセージを、発信し続けリードし、率いる効果を有す。
【図Ｉ】
2009187532.tif 000002
【手続補正書】
【提出日】平成21年2月1日(2009.2.1)
【手続補正１】
【補正対象書類名】明細書
【補正対象項目名】全文
【補正方法】変更
【補正の内容】
【発明の詳細な説明】
【技術分野】
【０００１】  本発明は、行動されたエネルギー消費量による二酸化炭素排出量の項目別数値や、それらを一纏めにされた数値など、及びそれらの中に含まれている電気、ガス、水道などの消費量による消費料金の金額を毎日、いつでも一目で素早く確認することが出来ます。および行動計画としてそれぞれのライフスタイル、ビジネススタイルが異なる様に、行動するエネルギー消費量の削減目標を、行動されたエネルギー消費量のフィードバックにより削減可能と思われる消費量を項目別に分けた、理解しやすい削減可能な行動パターンを提供します。例えば住宅のシャワーで身体を洗っている間、お湯を流しっぱなしにしない。１日１分家族全員が減らすと１ヶ月間約５．４ｋｇのＣＯ２の削減で約３３３円の節約になります。など、および企業や大型施設には省エネルギー改善に必要な技術、設備、人材、資金、等を包括的に提供するＥＳＣＯ事業の提供をします。および、二酸化炭素排出量削減測定装置に、常に関心を傾けて頂く為に、生命に及ぶ緊急事態には２４時間いつでも緊急警報と緊急速報をお知らせします。これ等のことにより、日本国の低炭素社会構築を可能に適応するに関する。
【背景技術】
【０００２】  従来代表的なものでは、項目別に分け、使用量×ＣＯ２排出係数＝ＣＯ２排出量を計算して数値を出すか、および二酸化炭素測定器を使用して排出量の数値を出すか、そのいずれかでした。および
引用文献１：特開２００４−１１０５８０号公報
引用文献２：特開２００５−３３２１０３号公報
等が開示されています。引用文献１は、業務毎の環境負荷量と目標値と比較し各業務の成果を評価するシステムを提供する。引用文献２は、二酸化炭素削減目標値からなる二酸化炭素削減情報の表示システムを提供すると開示されています。しかし双方とも削減情報を提供すると記載されてはいますが、それがどの様な情報の内容であるのか、表し方が、記載されておらず、これでは消費者には理解できませんし二酸化炭素排出量削減には至りません。および目標値からなる二酸化炭素削減情報の数値を仮に出したとしても、電気、ガス、水道のみのＣＯ２排出量の数値では、環境省の目標値と比較することはできません。
【発明が解決しようとする課題】
【０００３】  しかし近年では二酸化炭素排出量の項目も多種多様になり、それを一つ一つ計算し二酸化炭素排出量の数値を出して対応していくには時間を有する。および、行動されたエネルギー消費量などの消費料金及びＣＯ２排出量の数値を項目別に分けたものや一纏めに成ったものをディスプレーに表示され瞬時にいつでも一目で確認出来ることにより、より身近にＣＯ２排出量削減の意識を促します。および、エネルギー消費量のフィードバックにより削減可能な行動パターンを提供することにより、より一層、自ら積極的に削減可能な行動を促します。これ等による斬新な物が要望されます。本発明は、そのような削減可能、のみならず二酸化炭素排出量を自身の意識の中にインパクトを与えることを提供し解決すべき課題としている。
【課題を解決するための手段】
【０００４】  二酸化炭素排出量削減測定装置を設置することにおいて、
該、行動されたエネルギー消費量による、二酸化炭素排出量の数値や、同時に発生する消費料金がディスプレーに表示され、いつでも簡単に確認することが出来ます。及び、行動されたエネルギー消費量によるフィードバックにより削減可能と思われる行動パターンを提供することを特徴とする二酸化炭素排出量削減測定装置。
【発明の効果】
【０００５】  上述したように、本発明の二酸化炭素排出量削減測定装置を、各家庭、公共施設、企業施設、において設置することにより二酸化炭素排出量削減目標を定め、より正確に継続的に二酸化炭素排出量削減可能に適し延いては日本国の低炭素社会構築実現に国民の意識改革が一つの目的の和と成り全世界へ向けて合言葉「この地球（ほし）を守ろう。」のメッセージを、発信し続けリードし、率いる効果を有す。
【図面の簡単な説明】
【０００６】
【図１】二酸化炭素排出量削減測定装置のディスプレー表示盤による送受信の関係を示す概略図  （図、左側）電気、ガス、水道、自動車の主なエネルギー消費量はそれぞれの測定メーターからカウントされた消費量の数値をコンピューターに送信し、それらを二酸化炭素排出量やエネルギー消費量金額に換算して割り出した数値や金額がエネルギー消費量（生活廃棄物）の項目別に分かれた数値や金額、及びそれらを合計した数値や金額が自動的に音声と英数文字で表示され瞬時にいつでも一目で確認できます。（図、中央左側）エネルギー消費量（生活廃棄物）項目別の一覧表示で少人数の住宅から企業や公共施設の大量エネルギー消費量まで、本数単位からキログラム、トン、リットル単位までディスプレーに表示されます。それらをタッチパネルディスプレーにエネルギー消費量を消費者が指で入力すると演算処理のプログラムにより二酸化炭素排出量の数値が自動的に項目別で表示されます。及びそれらの数値は電気、ガス、水道、自動車などによる二酸化炭素排出量の数値と演算処理のプログラムにより自動的に加算され合計した数値になります。（図、右下側）外部に総括管理運営する二酸化炭素削減推進機関を設置して各々、二酸化炭素排出量削減測定装置から二酸化炭素排出量の情報や数値もデータベースを用いて送信されます。および、その時々の状況に合わせて二酸化炭素削減推進機関からコンピューターインターフェースを用いて削減情報やお楽しみポイント（地域によって異なる）等を送受信されます。そこには１ヶ月間を目安として前月の二酸化炭素排出量の１０％削減から始まり定着していきます。それを１週間毎か１０日毎に目標達成のための可否がコンピューターデータベースを用いて自動的にディスプレー表示され、目標が不可の場合  不可表示燈の点灯と同時に前月、１ヶ月間によるエネルギー消費量のフィードバックにより削減可能になると思われる情報がデータベースを用いて送信され自動的にディスプレー表示の項目別に分けて音声と英数文字のメッセージでお知らせします。及び、行動したエネルギー消費量の二酸化炭素排出量による数値は、日本国環境省の目標値、１人１日１ｋｇ二酸化炭素排出量削減目標を対比させ自動的に可否がディスプレーに表示されます。及び目標が不可の場合は不可表示燈の点灯と同時にエネルギー消費量のフィードバックにより削減可能になると思われる情報がコンピューターデータベースを用いて送信され自動的にディスプレー表示の項目別に分けてお知らせします。（図、右上側）緊急時対策機関を設置する。及び二酸化炭素排出量削減測定装置は通常、常に電源入力は入っています。及び、生命に及ぶ緊急事態（例えば近年では、テロ、Ｈ５型鳥インフルエンザ、地震、津波、火山噴火など）の場合のみ、緊急時態対策機関よりコンピューターインターフェースを用いて自動的に送信され緊急警報と緊急速報を音声と文字のメッセージにより２４時間、その都度お知らせします。